(57)【要約】【課題】  加熱工程のみで形成するので、成形コストを低減することができ、工程の減少による成形効率の向上を図ることもできるし、被包装体の所定の位置に強度性に優れた手提げ用取っ手を一体に形成できる。【解決手段】  テーブル１には、上面１Ａにフィルム受け部２が設けてあり、フィルム受け部２に衝合してフィルムを加熱する加熱プレス体４が回動可能に設けてある。加熱プレス体４の下面には、包装袋の開口辺を加熱溶着して帯状封止部を形成する帯状加熱部６と、帯状封止部を溶断して手提げ用取っ手を一体に形成する加熱溶断部７が設けてある。【選択図】  図１
2007099295.tif 000002
【特許請求の範囲】
【請求項１】
被包装物を熱収縮性のフィルムで包み、開口辺を熱溶着して封止部を形成した後、前記フィルムを収縮させて前記被包装物を密着状態で包装する収縮包装方法において、前記フィルムの一の開口辺に帯状封止部を形成し、該帯状封止部を溶断して手提げ用取っ手を形成するようにしたことを特徴とする収縮包装方法。
【請求項２】
テーブルに設けたフィルム受け部と、該テーブルに回動可能に軸支され、該フィルム受け部に衝合して前記フィルムを加熱する加熱プレス体とからなり、該加熱プレス体の下面には、包装袋の開口辺を加熱溶着して帯状封止部を形成する帯状加熱部と、前記帯状封止部を溶断して手提げ用取っ手を一体に形成する加熱溶断部を設けてなる収縮包装機。
【発明の詳細な説明】
【技術分野】
【０００１】
本発明は、各種の被包装物を熱収縮性のフィルムで密封包装する収縮包装に関し、手提げ用取っ手を一体に形成することができる収縮包装方法及び収縮包装機に関する。
【背景技術】
【０００２】
商品を汚れや悪戯から保護するためや、缶等の包装し難い商品を複数個纏めて包装するために熱収縮性のフィルムで包装する収縮包装、所謂シュリンク包装が広く利用されている。この収縮包装では包装体を更に持ち運びし易いように取っ手を設ける提案がされている。例えば、フィルムに内側へ湾曲する一対の切込を入れ、各切込の両端に返し切れ目を設け、熱収縮に伴い切込を拡大させて把手を形成したシュリンクフィルム包装体がある（特許文献１）。また、両端部を接合した帯状シートを表面に有した収縮フィルムにより物品を覆った後周囲より加熱し、密着包装させ、収縮フィルムの表面と帯状シートの間に帯状シートを掴む隙間を生じせしめた構成の包装体の表面に手提げ用取っ手のついた収縮包装体がある（特許文献２）。
【特許文献１】特開２００５−８２２１７号公報
【特許文献２】特開平２−１０９８６８号公報
【発明の開示】
【発明が解決しようとする課題】
【０００３】
上述した従来技術のうち、前者のシュリンクフィルム包装体にあっては、把手はフィルムに切込を形成して設けるため、強度性が十分でないという欠点や、シュリンクフィルムは収縮することから、予め被包装物と切込の位置合せをすることは困難であるという欠点がある。また、後者の包装収縮体にあっては、収縮フィルムに別部材の帯状シートを接合する工程が必要であるため、成形コストが嵩むという欠点や、収縮フィルムは収縮することから物品と帯状シートの位置合わせが困難であるという欠点がある。
【０００４】
本発明は上述した従来技術の諸欠点に鑑みなされたもので、加熱工程のみで手提げ用取っ手を形成するので、成形コストの低減と工程の減少による成形効率の向上を図ることができるし、被包装体の所定の位置に取っ手を形成することができると共に、強度性に優れた取っ手を形成できる収縮包装方法及び収縮包装機を提供することを目的とする。
【課題を解決するための手段】
【０００５】
上述した課題を解決するために構成された請求項１に係る本発明の手段は、被包装物を熱収縮性のフィルムで包み、開口辺を熱溶着して封止部を形成した後、前記フィルムを収縮させて前記被包装物を密着状態で包装する収縮包装方法において、前記フィルムの一の開口辺に帯状封止部を形成し、該帯状封止部を溶断して手提げ用取っ手を形成するようにしたことにある。
【０００６】
また、請求項２に係る本発明を構成する手段は、テーブルに設けたフィルム受け部と、該テーブルに回動可能に軸支され、該フィルム受け部に衝合して前記フィルムを加熱する加熱プレス体とからなり、該加熱プレス体の下面には、包装袋の開口辺を加熱溶着して帯状封止部を形成する帯状加熱部と、前記帯状封止部を溶断して手提げ用取っ手を一体に形成する加熱溶断部を
けたものからなる。
【発明の効果】
【０００７】
本発明は以上詳述した如く構成したから、下記の諸効果を奏する。
（１）加熱工程のみで手提げ用取っ手を形成するので、成形コストの低減と工程の減少を図ることができる。
（２）手提げ用取っ手はフィルムを加熱して形成した帯状封止部に形成するから、強度性に優れている。
（３）上記２と同じ理由により、フィルムの収縮による影響は小さいから、被包装体の所定の位置に取っ手を形成することができる。
【発明を実施するための最良の形態】
【０００８】
以下、本発明の実施の形態を図面に基づき詳述する。図１及び図２は収縮包装機を示す。図において、１は収縮包装機を構成するテーブルで、該テーブル１の上面１Ａには、左、右一対の脇材２Ａ、２Ａと、該脇材２Ａ、２Ａを連結する受け材２Ｂとから冂状に形成したフィルム受け部２が上面１Ａに突出した状態で設けてあり、受け材２Ｂに沿ってテーブル１にはセンター出し用スライドガイド３、３が横方向に摺動可能に設けてある。
【０００９】
４は前記テーブル１に軸支され、矢示イ、ロ方向に回動可能な加熱プレス体を示す。５は該加熱プレス体４を構成する枠部で、該枠部５は左、右一対の横材５Ａ、５Ｂと、該横材５Ａ、５Ｂの基端側に架設した連結材５Ｃと、横材５Ａ、５Ｂの先端に架設した幅広板状の前枠材５Ｄとから略口状に形成してあり、横材５Ａ、５Ｂの基端側でテーブル１に軸支してある。
【００１０】
６は二つ折りフィルム５１の開口辺に後述する帯状封止部５４を形成する帯状加熱部を示す。該帯状加熱部６は前記前枠材５Ｃの下面に長手方向に設けた外側熱線６Ａと、該外側熱線６Ａに平行な内側熱線６Ｂと、両熱線６Ａ、６Ｂの間の帯状発熱面６Ｃとからなっており、枠部５の一側横材５Ａには溶着用熱線６Ｄが配線してあり、他側横材５Ｂには給電線６Ｅが配設してある。
【００１１】
７は二つ折りフィルム５１に形成した帯状封止部５４に手提げ用取っ手５１Ｄを形成するための加熱溶断部で、該加熱溶断部７は略中央に凸状屈曲部７Ａ１を形成した外形熱線７Ａと、該凸状屈曲部７Ａ１内に位置して略横長四角形に配線した抜き取り熱線７Ｂとから構成し、前記帯状加熱部６の外側熱線６Ａと内側熱線６Ｂとの間に位置して前枠材５Ｃに設けてある。
【００１２】
本実施の形態からなる収縮包装機は上述の構成からなるが、次に収縮包装機を用いた収縮包装方法について図３乃至図７に基き説明する。図３は収縮包装体５１を示し、該収縮包装体５１は被包装物Ａを熱収縮性のフィルム５２、例えばポリエチレン、ポリプロピレン、ポリ塩化ビニル等で被装し、３辺に熱溶着による封止部を形成すると共に、上面に手提げ用取っ手５１Ａを形成したものからなる。
【００１３】
形成工程において、熱収縮性のフィルム５２は二つ折りの状態でロール状に巻装してあり、引き出しながら適宜の長さに順次切断する。切断形成した包装用フィルム体５３は３辺の開口辺のうち１の開口辺に熱溶着により封止部５３Ａを形成した後、被包装物Ａを収容する。これらの工程は従来から行われているものである。
【００１４】
被包装物Ａを収容した包装用フィルム５３は収縮包装機で密封する。先ず、１の開口辺をテーブル１のフィルム受け部２に乗せ、スライドガイド３、３により中心の位置決めを行う。次に、加熱プレス体４を降下させて枠部５とフィルム受け部２との間に包装用フィルム体５３を挟持し、しかる後、帯状加熱部６に給電して発熱させ、包装用フィルム５３を熱溶着し、帯状封止部５４を形成する。この工程と同時に他の開口辺も溶着用熱線６Ｄを発熱させて熱溶着により封止部５３Ｂを形成する。
【００１５】
次に、加熱溶断部７に給電して外形熱線７Ａと抜き取り熱線７Ｂを発熱させ、帯状封止部５４に手提げ用取っ手５１Ａを形成する。そして、抜き取り片５４Ａを除去した後、図示しない加熱収縮機を通して包装用フィルム体５３を収縮させることにより、手提げ用取っ手５１Ａを有する収縮包装体５１を形成することができる。
【００１６】
このように、本実施の方法によれば、加熱工程のみで手提げ用取っ手５１Ａを有する収縮包装体５１を形成できるから、作業効率に優れているし、手提げ用取っ手５１Ａは帯状封止部５４に形成するから強度性に優れていると共に、フィルムの収縮による影響は小さいから、所定の位置に所望の大きさに形成できる。
【００１７】
なお、本実施の形態において、手提げ用取っ手５１Ａを形成する加熱溶断部７は、フィルムの収縮率を勘案して外形熱線７Ａの凸状屈曲部７Ａ１と、抜き取り熱線７Ｂの寸法を大きく設定してあるから、使い勝手が損なわれることがない。
【００１８】
また、帯状封止部５４を形成する際に、補強片を開口辺に挟装することにより、更に強度性に優れた手提げ用取っ手にすることができる。
【００１９】
また、本実施の形態に係る収縮包装機において、帯状加熱部６の外側熱線６Ａと内側熱線６Ｂは選択的に発熱させる構成にし、内側熱線６Ｂと溶着用熱線６Ｄのみを発熱させることにより、取っ手の無い収縮包装体を成形することもできる。
【図面の簡単な説明】
【００２０】
【図１】本発明の実施の形態に係る収縮包装機の外観図である。
【図２】収縮包装機の要部拡大図である。
【図３】実施の形態に係る方法と収縮包装機により成形した収縮包装体の外観斜視図である。
【図４】収縮包装方法の工程に係り、包装フィルムの切断工程を示す説明図である。
【図５】包装フィルムの一側辺を溶着する工程を示す説明図である。
【図６】包装フィルムに被包装物を収容して開口辺に帯状封止部を形成する工程を示す説明図である。
【図７】帯状封止部に手提げ用取っ手を形成した工程を示す説明図である。
【符号の説明】
【００２１】
１      テーブル
２      フィルム受け部
４      加熱プレス体
６      帯状加熱部
７      加熱溶断部
５１    収縮包装体
５１Ａ  手提げ用取っ手
５４    帯状封止部
Ａ      被包装物
【図１】
2007099295.tif 000003
【図２】
2007099295.tif 000004
【図３】
2007099295.tif 000005
【図４】
2007099295.tif 000006
【図５】
2007099295.tif 000007
【図６】
2007099295.tif 000008
【図７】
2007099295.tif 000009